(57)【要約】      （修正有）【課題】溶接作業における溶接ワイヤの供給量を簡便に把握することができる溶接機の計数装置を提供する。【解決手段】計数装置４０は、水平な回転軸に固定されたフィードローラにより、溶接ワイヤが巻かれたリールから溶接ワイヤを溶接トーチに供給する溶接機に着脱自在に取り付けられる。計数装置４０は、入力軸４４の回数を積算して表示するカウンタ４１と、入力軸の一端に固定されて入力軸の軸方向に対して垂直な面に永久磁石４５ａによる平坦な磁極面４５ｂを持つ固定部４５とを有している。計数装置の重心Ｇは、入力軸からは偏心しており、かつ計数装置は固定部により着脱自在に回転軸もしくは回転軸に固定された透磁性体(ナット、ハブ)に対して片持ち状に吸着して支持される。 【選択図】図３
0003202070.tif 000002
【実用新案登録請求の範囲】
【請求項１】
水平な回転軸に固定されたフィードローラにより、溶接ワイヤｗが巻かれたリールから溶接ワイヤを溶接トーチに供給する溶接機に着脱自在に取り付けられる計数装置において、
入力軸の回数を積算して表示するカウンタと、
前記入力軸の一端に固定され、前記入力軸の軸方向に対して垂直な面に永久磁石による平坦な磁極面を持つ固定部とを有し、
前記磁極面が前記入力軸の軸方向においての最も端の位置に位置しており、
前記計数装置の重心は、前記入力軸からは偏心しており、かつ前記計数装置は前記固定部により着脱自在に回転軸もしくは回転軸に固定された透磁性体に対して片持ち状に吸着して支持されることを特徴とする溶接機の計数装置。
【請求項２】
請求項１の溶接機の計数装置において、前記透磁性体は前記フィードローラを固定するナットもしくはフィードローラを嵌め込むハブであることを特徴とする溶接機の計数装置。
【請求項３】
請求項１の溶接機の計数装置において、前記固定部は、前記永久磁石を内包した袋状のヨークを有し、
前記ヨークは、その底部は前記永久磁石の他方の磁極に当接し、かつギャップを介して前記磁極面の一部の面となるドーナッツ状端面を有するカラー部が設けられていることを特徴とする溶接機の計数装置。
【考案の詳細な説明】
【技術分野】
【０００１】
本考案は、溶接機に取付けて、溶接ワイヤの供給量（使用量）を把握する溶接機の計数装置に関するものである。
【背景技術】
【０００２】
ＴＩＧ溶接機、ＭＩＧ溶接機、炭酸ガスアーク溶接機、ＭＡＧ溶接機、サブマージアーク溶接機などの溶接機は、ワイヤ蓄積部の溶接ワイヤをフィードローラで挟み付けると共に前記ローラの回転送り力で溶接トーチまで供給する機構を備えている。
一方、この供給量を把握するための機構が標準機能として組み付けられている溶接機は多くは無く、殆どがそのような機構を有さない溶接機である。生産現場の管理面からすれば、溶接ワイヤの供給量を把握できるのが一部の溶接機のみであるのでは足りず、既存の溶接機でも同様に溶接ワイヤの供給量を把握できることが望まれる。
本出願人による特許文献１は、ワイヤ蓄積部の溶接ワイヤを溶接トーチまで供給する経路中に、水平な回転軸の先部に螺着されたナットにより固定されているローラに対して、ナットの代わりに回転軸に螺着される袋ネジと、袋ネジに入力軸が固定され、入力軸の回数を積算して表示する計数装置が開示されている。この計数装置は、袋ネジにより回転軸にぶら下がり状に固定すれば、取り付けが完了する。このように取り付けが極めて簡単である。
【先行技術文献】
【特許文献】
【０００３】
【特許文献１】実登第３１５５３９２号公報
【考案の開示】
【考案が解決しようとする課題】
【０００４】
既存の溶接機においては、ローラの取り付け構造にはいくつか種類があり、必ずしも水平な回転軸の先部に螺着されたナットによりローラが固定されている溶接機のみではない。例えば、鍋螺子でローラを固定する溶接機も存在する。このような溶接機には取り付けできない。
【０００５】
本考案は、ナットや鍋螺子などでローラを固定する種々のタイプの溶接機に対して、共通的にかつ簡単に取り付けることが可能な計数装置を提供することを目的とする。
【課題を解決するための手段】
【０００６】
上記目的を達成するため、本考案に係る溶接機の計数装置は、水平な回転軸に固定されたフィードローラにより、溶接ワイヤｗが巻かれたリールから溶接ワイヤを溶接トーチに供給する溶接機に着脱自在に取り付けられる計数装置において、
入力軸の回数を積算して表示するカウンタと、
前記入力軸の一端に固定され、前記入力軸の軸方向に対して垂直な面に永久磁石による平坦な磁極面を持つ固定部とを有し、
前記磁極面が前記入力軸の軸方向においての最も端の位置に位置しており、
前記計数装置の重心は、前記入力軸からは偏心しており、かつ前記計数装置は前記固定部により着脱自在に回転軸もしくは回転軸に固定された透磁性体に対して片持ち状に吸着して支持されることを特徴とする。
【考案の効果】
【０００７】
本考案によれば、ローラの取り付け構造の異なる複数種の既存の溶接機に対して簡便に取付けられるため、ユーザーは種類の異なる溶接機に対して同じ計数装置を取り付けることができるようになる。
【図面の簡単な説明】
【０００８】
【図１】溶接機を示す図である。
【図２】ローラの取り付け構造を示す図である。
【図３】計数装置を示す図である。
【図４】計数装置を溶接機に取り付けたときの断面を示す図である。
【考案を実施するための最良の形態】
【０００９】
以下、本実施例の詳細を、図面を参照して詳細に説明する。
図１に、溶接の作業現場で使用されている一般的な溶接機の構成を示す。この溶接機は炭酸ガスアーク溶接機である。
１は溶接電源部、２は溶接ワイヤ送給装置、３は溶接トーチ、６はリモコンである。８はガスホースであって炭酸ガスを供給するものであり、９は溶接ワイヤ送給装置２と溶接トーチ３とを接続した撓曲自在なコンジットチューブである。１０はパワーケーブル、１２は制御ケーブルである。
【００１０】
溶接ワイヤ送給装置２は、装置フレーム１３内にワイヤ蓄積部１４と送給力付与部１５を有している。ワイヤ蓄積部１４は、リール保持軸２０が設けられ、溶接ワイヤｗの巻かれたリール１９を着脱可能に支持する。
【００１１】
送給力付与部１５は、ワイヤー送給モータ（図示せず）により駆動されるフィードローラ２４（駆動ローラ）と、押さえ板２６とを有している。押さえ板２６には、水平な回転軸２７を介して回転自在に装着されたフィードローラ２８(アイドラ)が備えられている。フィードローラ２４とフィードローラ２８との間に溶接ワイヤｗを挟み込んで、溶接トーチ３へ送り出す。押さえ板２６は、溶接ワイヤｗを装填するさいに着脱ができるようになっている。
【００１２】
フィードローラ２４は、ローラ周に溶接ワイヤが接触しながら案内する環状溝２４ａ（図２）が刻まれている。フィードローラ２４は、使用する溶接ワイヤ径の変更により交換したり、環状溝が詰まったり、磨耗したりする保守部品である。従って、このような交換、点検、整備のために取り外し容易なようになっているが、その構造は、溶接ワイヤ送給装置２によって異なっている。
【００１３】
図２は、フィードローラ２４が取り付けられる構造のうち、典型的な例を示している。２３は、フィードローラ２４を回転させるための水平な回転軸である。図２Ａから図２Ｃに示した回転軸２３の先部は、雄螺子２３ａが設けられ、フィードローラ２４の中心穴２４ｂに貫通して、透磁性体によるナット３１が螺着される。フィードローラ２４は、ナット３１により回転軸２３に固定される。図では、雄螺子２３ａの先端がナット３１の中心から突出していないが、突出することもある。
【００１４】
図２Ｄから図２Ｆに示した回転軸２３には、雌螺子が切られた円孔２３ｂが回転軸２３と同心状に設けられている。ハブ２５の中心穴２５ｂを貫いて、鍋螺子３０が円孔２３ｂに螺合されている。ハブ２５は、透磁性体により構成されており、円筒状に立ち上がった環状のリム２５ａにフィードローラ２４を嵌め込み、ハブ２５のフランジ部２５ｃに設けられた螺子孔２５ｄに対して皿螺子２９によりフィードローラ２４を固定するものである。
【００１５】
これらのフィードローラ２４の取り付けにおける最終形態は、図２Ｃと図２Ｆに示されている。図２Ｃにおいては雄螺子２３ａの先端がフィードローラ２４の中心から突出し、これにナット３１が螺合している状態である。一方、図２Ｆにおいてはハブ２５のリム２５ａがフィードローラ２４から僅かに覗き、鍋螺子３０の頭部はリム２５ａで囲まれた凹みの中に収まっている状態を示している。
【００１６】
このような既存の溶接機に対して、本実施例の計数装置４０により、積算計数を行う機能を付与する。図３において、計数装置４０は、カウンタ４１と固定部４５を有している。カウンタ４１は、直方体状の箱体４２の内側に６個の桁円板４３ａ〜４３ｆを列設されると共に各桁円板４３ａ〜４３ｆの外周面には０〜９の数字が周方向の一列状に表示されている。またこれら桁円板４３ａ〜４３ｆを左右向き中心線回りへ回転動作させる左右向き入力軸４４が設けられている。この入力軸４４が１回転するごとに、桁円板４３ａ〜４３ｆにより表示される６桁の数値が１だけ加算される。また桁円板４３ａ〜４３ｆで表示される数値をゼロに復帰させるための摘み４６が装着されており、この摘み４６が回転操作されることで各桁円板４３ａ〜４３ｆが連係作動されて全ての桁円板４３ａ〜４３ｆの数字がゼロになる。ここにおいて、入力軸４４は、計数装置４０の重心位置を貫いておらず、カウンタ４１の表示窓４２ａ側に偏心した位置を貫いている。
【００１７】
固定部４５は、止めネジ４８により、入力軸４４に固定されている。固定部４５は、永久磁石４５ａ、底部とカラー部４５ｅを持つ透磁性体による袋状のヨーク４５ｃとからなっており、入力軸４４の軸方向に対して垂直な面に永久磁石４５ａによる平坦な磁極面４５ｂを持っている。磁極面４５ｂは、入力軸４４の軸方向に最も端になる位置に位置している。
【００１８】
永久磁石４５ａの一方の磁極は、磁極面４５ｂの一部を構成している。ヨーク４５ｃの底部は永久磁石４５ａの他方の磁極に当接し、そのカラー部４５ｅがギャップ４５ｄを介して永久磁石４５ａを包囲している。そして、カラー部４５ｅのドーナッツ状の端面が磁極面４５ｂの他の一部となるように構成されている。ギャップ４５ｄは、非磁性体により埋められている。尚、永久磁石４５ａの磁束が強ければ、ヨーク４５ｃは特に必要が無く、磁極面４５ｂは永久磁石４５ａの一方の磁極のみで構成されてもよい。磁極面４５ｂは、少なくとも想定されるナット３１の大きさ（通常、Ｍ１０のナットが使用されている）以上、フィードローラ２４の径の大きさ以下の大きさを持つのが望ましい。
【００１９】
図４は、計数装置４０をフィードローラ２４に取り付けた例を示している。
図４Ａは、既存の溶接機のナット３１の頭部もしくは回転軸２３の端部に固定部４５を吸着させた状態を示す一部断面図である。図４Ａに示すように、ナット３１の頭部平面に固定部４５の磁極面４５ｂを吸着させる。この際、回転軸２３の中心Ｃｍと入力軸４４の中心Ｃｋとは、一致させなくとも良い。永久磁石４５ａの吸引力を用いているため、かつ厳密な取付位置である必要が無いため、手作業にて容易に行うことができる。
【００２０】
図４Ｂは、既存の溶接機のハブ２５のリム２５ａに対して固定部４５を取り付けた状態を示す一部断面図である。図４Ｂに示すように、フィードローラ２４から僅かに覗いたリム２５ａに固定部４５の磁極面４５ｂを吸着させる。この際、回転軸２３の中心Ｃｍと入力軸４４の中心Ｃｋとは、一致させなくとも良い。図４Ａの場合と同様に、永久磁石４５ａの吸引力を用いているため、かつ厳密な取り付け位置である必要が無いため、手作業にて容易に行うことができる。
【００２１】
固定部４５がフィードローラ２４に対して磁気吸着した状態では、計数装置４０は、溶接機の装置フレーム１３に対して固定されておらず、回転軸２３に対してぶら下がり状態である。入力軸４４が計数装置４０の重心Ｇに対して偏心しているため、計数装置４０は、入力軸４４を中心として溶接機の装置フレーム１３に対して自由回転状態であり、重心Ｇを入力軸４４の下側に位置させ、表示窓４２ａを上向けている。
【００２２】
フィードローラ２４の外周面には、環状溝２４ａが形成されており、アイドルローラ２８で溶接ワイヤｗを挟んで送給する。ローラ２４が回転すると、これに固定された入力軸４４も回転する。回転軸２３の中心Ｃｍと入力軸４４の中心Ｃｋとは、殆どの場合で一致していないことが想定されるが、計数装置４０に対して入力軸４４は滑らかに回転するようになっており、かつ、溶接機においてはフィードローラ２４の回転は非常に遅いので、このような偏心状態においても、下側に位置する重心Ｇを引き上げて計数装置４０本体を回転させるだけの力にはならない。従って、回転軸２３の回転数が桁円板４３ａ〜４３ｆに積算されて行く。
【００２３】
次にこのようにして計数装置が取り付けられた溶接機の使用例及び作用について説明する。
溶接を行うと溶接ワイヤｗがフィードローラ２４の送り力を付与されてリール１９から溶接トーチ３の先端側へ連続的に供給され、溶接が停止されるとフィードローラ２４の回転が停止し溶接ワイヤｗの供給は停止される。溶接中のフィードローラ２４の回転により入力軸４４も回転する。計数装置４０は溶接中のフィードローラ２４の回転数を計数し、桁円板４３ａ〜４３ｆに記載された数字で積算値を表示する。
【００２４】
フィードローラ２４が溶接ワイヤｗに対して滑りの生じない状態で回転したとすると、溶接中にフィードローラ２４で送給された溶接ワイヤｗの長さは計数装置４０で計数されたフィードローラ２４の回転数にフィードローラ２４の周長さを乗じることにより算出される。そして、溶接中にフィードローラ２４で送給された溶接ワイヤｗの重量は溶接中にフィードローラ２４で送給された溶接ワイヤｗの長さに溶接ワイヤｗの単位長さの重量を乗じることにより算出される。
【００２５】
計数装置４０で計数された数値情報により、溶接中の溶接ワイヤｗの使用量を認識できるようになり、この数値情報のみに基づいて溶接における溶接ワイヤｗの供給量が適当であるか否か或いは作業効率が高く維持されているか否かの指標となる。
【符号の説明】
【００２６】
３  溶接トーチ
１４  ワイヤ蓄積部
１５  送給力付与部
２３  回転軸
２４  フィードローラ
２５  ハブ
２８  アイドルローラ
３１  ナット
４０  計数装置
４４  入力軸
４５  固定部
４５ａ  永久磁石
４５ｂ  磁極面
４５ｃ  ヨーク
ｗ  溶接ワイヤ
【図１】
0003202070.tif 000003
【図２】
0003202070.tif 000004
【図３】
0003202070.tif 000005
【図４】
0003202070.tif 000006